(57)【要約】【課題】シールド効果を維持することができるケーブルおよび超音波装置を提供すること。【解決手段】ケーブルは、信号を伝送する信号線と、グラウンド電位を有するグラウンド線と、信号線およびグラウンド線を被覆するシールド線と、を含む芯線と、を備え、グラウンド線とシールド線とは電気的に接続される。【選択図】図２
2020149793.tif 000002
【特許請求の範囲】
【請求項１】
信号を伝送する信号線と、グラウンド電位を有するグラウンド線と、前記信号線および前記グラウンド線を被覆するシールド線と、を含む芯線を備え、
前記グラウンド線と前記シールド線とは電気的に接続される
ことを特徴とするケーブル。
【請求項２】
請求項１に記載のケーブルにおいて、
前記シールド線は、導体から構成される複数の素線が編み組みされて構成されている
ことを特徴とするケーブル。
【請求項３】
請求項１に記載のケーブルにおいて、
前記シールド線は、導体から構成される素線が螺旋状に巻装されて構成されている
ことを特徴とするケーブル。
【請求項４】
請求項１から請求項３のいずれか一項に記載のケーブルにおいて、
前記シールド線は、前記信号線を被覆する信号シールド線と、前記グラウンド線を被覆するグラウンドシールド線とを含み、
前記信号シールド線および前記グラウンドシールド線は、前記グラウンド線に電気的に接続される
ことを特徴とするケーブル。
【請求項５】
請求項４に記載のケーブルにおいて、
前記信号線は、超音波を送信する第１圧電素子および超音波の送信を制御する送信回路の間で駆動信号を伝送する送信信号線と、超音波を受信する第２圧電素子および超音波の受信を制御する受信回路との間で受信信号を伝送する受信信号線とを含み、
前記信号シールド線は、前記送信信号線を被覆する送信シールド線と、前記受信信号線を被覆する受信シールド線とを含み、
前記送信シールド線および前記受信シールド線は、前記グラウンド線に電気的に接続される
ことを特徴とするケーブル。
【請求項６】
請求項５に記載のケーブルにおいて、
前記グラウンド線は、第１グラウンド線と第２グラウンド線とを含み、
前記送信シールド線は、前記第１グラウンド線に電気的に接続され、
前記受信シールド線は、前記第２グラウンド線に電気的に接続される
ことを特徴とするケーブル。
【請求項７】
請求項５に記載のケーブルにおいて、
前記グラウンド線は、第１グラウンド線と第２グラウンド線とを含み、
前記送信シールド線および前記受信シールド線は、前記第１グラウンド線および前記第２グラウンド線に電気的に接続される
ことを特徴とするケーブル。
【請求項８】
請求項１から請求項７のいずれか一項に記載のケーブルにおいて、
前記グラウンド線および前記シールド線は、両端部において電気的に接続される
ことを特徴とするケーブル。
【請求項９】
請求項１から請求項８のいずれか一項に記載のケーブルと、
前記ケーブルの一方の端部に接続される超音波センサーと、
前記ケーブルの他方の端部に接続され、前記超音波センサーを制御する制御部と、を備える
ことを特徴とする超音波装置。
【発明の詳細な説明】
【技術分野】
【０００１】
本発明は、ケーブルおよび超音波装置に関する。
【背景技術】
【０００２】
特許文献１には、複数本の内部ケーブルと、当該内部ケーブルの外周に設けられ、素線を編み組みして構成される編組シールドとを備えるケーブルが開示されている。
特許文献１のケーブルでは、内部ケーブルを編組シールドで覆うことにより、外部からのノイズに対する影響を低減するシールド効果が得られるようにしている。
【先行技術文献】
【特許文献】
【０００３】
【特許文献１】特開２０１４−２４１２０９号公報
【発明の概要】
【発明が解決しようとする課題】
【０００４】
しかしながら、特許文献１に記載のケーブルでは、例えば、ケーブルが折り曲げられた際に、編組シールドを構成する素線が断線し、シールド効果が低下してしまうおそれがある。
【課題を解決するための手段】
【０００５】
本発明の第一適用例に係るケーブルは、信号を伝送する信号線と、グラウンド電位を有するグラウンド線と、前記信号線および前記グラウンド線を被覆するシールド線と、を含む芯線を備え、前記グラウンド線と前記シールド線とは電気的に接続される。
【０００６】
本適用例のケーブルにおいて、前記シールド線は、導体から構成される複数の素線が編み組みされて構成されていることが好ましい。
【０００７】
本適用例のケーブルにおいて、前記シールド線は、導体から構成される素線が螺旋状に巻装されて構成されていることが好ましい。
【０００８】
本適用例のケーブルにおいて、前記シールド線は、前記信号線を被覆する信号シールド線と、前記グラウンド線を被覆するグラウンドシールド線とを含み、前記信号シールド線および前記グラウンドシールド線は、前記グラウンド線に電気的に接続されることが好ましい。
【０００９】
本適用例のケーブルにおいて、前記信号線は、超音波を送信する第１圧電素子および超音波の送信を制御する送信回路の間で駆動信号を伝送する送信信号線と、超音波を受信する第２圧電素子および超音波の受信を制御する受信回路との間で受信信号を伝送する受信信号線とを含み、前記信号シールド線は、前記送信信号線を被覆する送信シールド線と、前記受信信号線を被覆する受信シールド線とを含み、前記送信シールド線および前記受信シールド線は、前記グラウンド線に電気的に接続されることが好ましい。
【００１０】
本適用例のケーブルにおいて、前記グラウンド線は、第１グラウンド線と第２グラウンド線とを含み、前記送信シールド線は、前記第１グラウンド線に電気的に接続され、前記受信シールド線は、前記第２グラウンド線に電気的に接続されることが好ましい。
【００１１】
本適用例のケーブルにおいて、前記グラウンド線は、第１グラウンド線と第２グラウンド線とを含み、前記送信シールド線および前記受信シールド線は、前記第１グラウンド線および前記第２グラウンド線に電気的に接続されることが好ましい。
【００１２】
本適用例のケーブルにおいて、前記グラウンド線および前記シールド線は、両端部において電気的に接続されることが好ましい。
【００１３】
第二適用例に係る超音波装置は、第一適用例のケーブルと、前記ケーブルの一方の端部に接続される超音波センサーと、前記ケーブルの他方の端部に接続され、前記超音波センサーを制御する制御部と、を備える。
【図面の簡単な説明】
【００１４】
【図１】第１実施形態の超音波装置の概略構成を示すブロック図。
【図２】第１実施形態のケーブルの端部における要部を一部破断した斜視図。
【図３】第２実施形態のケーブルの端部における要部を一部破断した斜視図。
【図４】第３実施形態のケーブルの端部における要部を一部破断した斜視図。
【図５】第４実施形態のケーブルの端部における要部を一部破断した斜視図。
【図６】変形例の超音波装置の要部を示すブロック図。
【発明を実施するための形態】
【００１５】
［第１実施形態］
以下、本開示の第１実施形態に係る超音波装置１００について、図面に基づいて説明する。
［超音波装置１００の概略構成］
図１は、本実施形態の超音波装置１００の概略構成を示すブロック図である。
図１に示すように、超音波装置１００は、ケーブル１と、超音波センサー２と、制御装置３とを備える。
本実施形態の超音波装置１００は、超音波センサー２から対象物に対して超音波を送信し、当該対象物により反射された超音波を受信する。そして、超音波装置１００は、超音波の送信タイミングから超音波の受信タイミングの時間に基づいて、超音波センサー２から対象物までの距離を算出する距離測定装置として構成される。
【００１６】
［超音波センサー２］
超音波センサー２は、プローブ筐体２１と、送信素子２２と、受信素子２３とを備える。
プローブ筐体２１は、送信素子２２および受信素子２３を収容する。プローブ筐体２１には、送信素子２２および受信素子２３に対応する位置に、センサー窓２１１が設けられている。
また、プローブ筐体２１には通過孔２１２が設けられ、当該通過孔２１２を介してケーブル１がプローブ筐体２１の内部に挿入されている。これにより、超音波センサー２は、ケーブル１の一方の端部に接続される。
さらに、プローブ筐体２１には、後述するケーブル１の外周シールド線１４が電気的に接続されるプローブフレームグラウンド２１３が設けられている。
【００１７】
送信素子２２は、図示略の圧電膜を備えて構成される。そして、送信素子２２は、駆動信号が印加されることで、当該圧電膜が振動して超音波を送出可能に構成されている。なお、送信素子２２は、本開示の第１圧電素子の一例である。
また、送信素子２２には、後述するケーブル１の送信信号線１１１とグラウンド線１３１とが電気的に接続されている。
【００１８】
受信素子２３は、送信素子２２と同様に、図示略の圧電膜を備えて構成される。そして、送信素子２２から送出され、対象物によって反射された超音波により当該圧電膜が振動されると、圧電膜の上下で電位差が発生する。これにより、当該電位差を検出することにより、超音波に応じた受信信号を出力可能に構成されている。なお、受信素子２３は、本開示の第２圧電素子の一例である。
また、受信素子２３には、後述するケーブル１の受信信号線１２１およびグラウンド線１３１と電気的に接続されている。
【００１９】
［制御装置３］
制御装置３は、制御装置筐体３１と、回路基板３２とを備える。なお、制御装置３は、本開示の制御部の一例である。
制御装置筐体３１は、回路基板３２を収容する。制御装置筐体３１には、通過孔３１１が設けられ、当該通過孔３１１を介してケーブル１が制御装置筐体３１の内部に挿入されている。これにより、制御装置３は、ケーブル１の他方の端部に接続される。
また、制御装置筐体３１には、後述するケーブル１の外周シールド線１４が電気的に接続される制御装置フレームグラウンド３１２が設けられている。
【００２０】
回路基板３２は、送信回路３２１と、受信回路３２２と、制御回路３２３とを備える。
送信回路３２１は、制御回路３２３により制御されて、駆動信号を出力する信号出力部である。送信回路３２１は、ケーブル１を介して、送信素子２２と電気的に接続されている。これにより、送信回路３２１は、ケーブル１を介して、送信素子２２に駆動信号を出力する。
【００２１】
受信回路３２２は、ケーブル１を介して受信素子２３から出力される受信信号を入力して処理する。具体的には、受信回路３２２は、例えば低雑音増幅回路、電圧制御アッテネーター、プログラマブルゲインアンプ、ローパスフィルター、Ａ／Ｄコンバーター等を含んで構成される。そして、受信回路３２２は、受信信号のデジタル信号への変換、ノイズ成分の除去、所望信号レベルへの増幅等の各信号処理を実施した後、処理後の受信信号を制御回路３２３に出力する。
【００２２】
制御回路３２３は、例えばＣＰＵ等の演算回路や、メモリー等の記憶回路により構成されている。制御回路３２３は、送信回路３２１および受信回路３２２を制御する。そして、制御回路３２３は、超音波センサー２から超音波を送信したタイミングから、受信信号が検出されるまでの時間と、空気中における音速とを用いて、ＴｏＦ（Time of Flight）法により、超音波センサー２から対象物までの距離を算出する。
【００２３】
［ケーブル１］
図２は、ケーブル１の端部における要部を一部破断した斜視図である。
図１、図２に示すように、ケーブル１は、超音波センサー２と制御装置３とに亘って設けられ、これらを電気的に接続する同軸ケーブルである。
ケーブル１は、送信信号芯線１１と、受信信号芯線１２と、グラウンド芯線１３と、外周シールド線１４と、外部被覆１５と、コネクター部１６とを備える。なお、送信信号芯線１１、受信信号芯線１２、およびグラウンド芯線１３は、本開示の芯線を構成する。
【００２４】
［送信信号芯線１１］
図２に示すように、送信信号芯線１１は、送信信号線１１１と、送信シールド線１１２と、送信シールド被覆１１３とを備える。
送信信号線１１１は、超音波センサー２の送信素子２２と、制御装置３の送信回路３２１とを電気的に接続する。これにより、送信信号線１１１は、送信回路３２１から出力された駆動信号を送信素子２２に伝送する。なお、送信信号線１１１は、本開示の信号線を構成する。
【００２５】
送信信号線１１１は、送信導体１１１１と、送信導体被覆１１１２とを備える。
送信導体１１１１は、銅線から構成され、駆動信号を伝送する。なお、送信導体１１１１は銅線から構成されることに限定されるものではなく、銅合金やアルミニウム等の金属材料の導体から構成されていればよい。
送信導体被覆１１１２は、ポリエチレン部材から構成され、送信導体１１１１を被覆している。これにより、送信導体１１１１と送信シールド線１１２とが短絡することを防止できる。なお、送信導体被覆１１１２は、ポリエチレン部材から構成されるものに限定されるものではなく、絶縁体から構成されていればよい。
【００２６】
送信シールド線１１２は、複数の素線１１２１が編み組みされた編組シールドとして構成され、送信信号線１１１を被覆している。本実施形態では、素線１１２１は銅箔糸から構成されている。また、送信シールド線１１２は、両端部において、複数の素線１１２１が撚り合わされて形成された送信シールドリード線１１２２を有する。
なお、素線１１２１は、銅箔糸から構成されるものに限られるものではなく、銅合金やアルミニウム等の金属材料の導体から構成されていればよい。
また、送信シールド線１１２は、本開示のシールド線を構成する。さらに、送信シールド線１１２は、本開示の信号シールド線を構成する。
【００２７】
送信シールド被覆１１３は、ポリエチレン部材から構成され、送信シールド線１１２を被覆している。これにより、送信シールド線１１２と、受信信号芯線１２およびグラウンド芯線１３とが短絡することを防止できる。なお、送信シールド被覆１１３は、ポリエチレン部材から構成されるものに限定されるものではなく、絶縁体から構成されていればよい。
【００２８】
［受信信号芯線１２］
受信信号芯線１２は、受信信号線１２１と、受信シールド線１２２と、受信シールド被覆１２３とを備える。
受信信号線１２１は、超音波センサー２の受信素子２３と、制御装置３の受信回路３２２とを電気的に接続する。これにより、受信信号線１２１は、受信素子２３から出力された受信信号を受信回路３２２に伝送する。なお、受信信号線１２１は、本開示の信号線を構成する。
【００２９】
受信信号線１２１は、受信導体１２１１と、受信導体被覆１２１２とを備える。
受信導体１２１１は、銅線から構成され、受信信号を伝送する。なお、受信導体１２１１は銅線から構成されることに限定されるものではなく、銅合金やアルミニウム等の金属材料の導体から構成されていればよい。
受信導体被覆１２１２は、ポリエチレン部材から構成され、受信導体１２１１の周囲を被覆している。これにより、受信導体１２１１と受信シールド線１２２とが短絡することを防止できる。なお、受信導体被覆１２１２は、ポリエチレン部材から構成されるものに限定されるものではなく、絶縁体から構成されていればよい。
【００３０】
受信シールド線１２２は、複数の素線１２２１が編み組みされた編組シールドとして構成され、受信信号線１２１を被覆している。本実施形態では、素線１２２１は銅箔糸から構成されている。また、受信シールド線１２２は、両端部において、複数の素線１２２１が撚り合わされて形成された受信シールドリード線１２２２を有する。
なお、素線１２２１は、銅箔糸から構成されるものに限られるものではなく、銅合金やアルミニウム等の金属材料の導体から構成されていればよい。
また、受信シールド線１２２は、本開示のシールド線を構成する。さらに、受信シールド線１２２は、本開示の信号シールド線を構成する。
【００３１】
受信シールド被覆１２３は、ポリエチレン部材から構成され、受信シールド線１２２を被覆している。これにより、受信シールド線１２２と、送信信号芯線１１およびグラウンド芯線１３とが短絡することを防止できる。なお、受信シールド被覆１２３は、ポリエチレン部材から構成されるものに限定されるものではなく、絶縁体から構成されていればよい。
【００３２】
［グラウンド芯線１３］
グラウンド芯線１３は、グラウンド線１３１と、グラウンドシールド線１３２と、グラウンドシールド被覆１３３とを備える。
グラウンド線１３１は、超音波センサー２の送信素子２２のグラウンド端子と、制御装置３の送信回路３２１のグラウンド端子とを電気的に接続する。これにより、送信素子２２のグラウンド端子は、送信回路３２１のグラウンド電位と共通になる。
また、グラウンド線１３１は、超音波センサー２の受信素子２３のグラウンド端子と、制御装置３の受信回路３２２のグラウンド端子とを電気的に接続する。これにより、受信素子２３のグラウンド端子は、受信回路３２２のグラウンド電位と共通になる。
【００３３】
グラウンド線１３１は、グラウンド導体１３１１と、グラウンド導体被覆１３１２とを備え、両端部において二股に分岐している。
グラウンド導体１３１１は、銅線から構成され、グラウンド電位を有する。なお、グラウンド導体１３１１は銅線から構成されることに限定されるものではなく、銅合金やアルミニウム等の金属材料の導体から構成されていればよい。
グラウンド導体被覆１３１２は、ポリエチレン部材から構成され、グラウンド導体１３１１を被覆している。これにより、グラウンド導体１３１１とグラウンドシールド線１３２とが短絡することを防止できる。なお、グラウンド導体被覆１３１２は、ポリエチレン部材から構成されるものに限定されるものではなく、絶縁体から構成されていればよい。
【００３４】
グラウンドシールド線１３２は、複数の素線１３２１が編み組みされた編組シールドとして構成され、グラウンド線１３１を被覆している。本実施形態では、素線１３２１は銅箔糸から構成されている。また、グラウンドシールド線１３２は、両端部において、複数の素線１３２１が撚り合わされて形成されたグラウンドシールドリード線１３２２を有する。
なお、素線１３２１は、銅箔糸から構成されるものに限られるものではなく、銅合金やアルミニウム等の金属材料の導体から構成されていればよい。
また、グラウンドシールド線１３２は、本開示のシールド線を構成する。
【００３５】
グラウンドシールド被覆１３３は、ポリエチレン部材から構成され、グラウンドシールド線１３２を被覆している。これにより、グラウンドシールド線１３２と、送信信号芯線１１および受信信号芯線１２とが短絡することを防止できる。なお、グラウンドシールド被覆１３３は、ポリエチレン部材から構成されるものに限定されるものではなく、絶縁体から構成されていればよい。
また、送信信号芯線１１、受信信号芯線１２、およびグラウンド芯線１３から本開示の芯線が構成される。
【００３６】
［外周シールド線１４］
外周シールド線１４は、複数の素線１４１が編み組みされた編組シールドとして構成され、送信信号芯線１１、受信信号芯線１２、およびグラウンド芯線１３を被覆している。本実施形態では、素線１４１は銅箔糸から構成されている。また、外周シールド線１４には、両端部において、外周シールドリード線１４２が接続されている。本実施形態では、外周シールドリード線１４２は、外周シールド線１４に半田部５１によって接続されている。
そして、超音波センサー２側の端部において接続された外周シールドリード線１４２は、コネクター部１６を介して、プローブ筐体２１のプローブフレームグラウンド２１３に電気的に接続される。また、制御装置３側の端部において接続された外周シールドリード線１４２は、コネクター部１６を介して、制御装置筐体３１の制御装置フレームグラウンド３１２に電気的に接続されている。
【００３７】
［外部被覆１５］
外部被覆１５は、ポリエチレン部材から構成され、外周シールド線１４を被覆している。これにより、外周シールド線１４と外部の他の配線とが短絡することや、外周シールド線１４が損傷することを防止できる。なお、外部被覆１５は、ポリエチレン部材から構成されるものに限定されるものではなく、耐候性や耐摩耗性等を有する絶縁体から構成されていればよい。
【００３８】
［コネクター部１６］
コネクター部１６は、ケーブル１の両端部に設けられ、ケーブル１と、超音波センサー２および制御装置３とを電気的に接続させる接続部材である。具体的には、ケーブル１の一方の端部に設けられるコネクター部１６は、超音波センサー２に設けられる図示略のコネクターに接続可能に構成されている。また、ケーブル１の他方の端部に設けられるコネクター部１６は、制御装置３に設けられる図示略のコネクターに接続可能に構成されている。
なお、図２には、ケーブル１の一方の端部に設けられるコネクター部１６、つまり、超音波センサー２のコネクターに接続されるコネクター部１６のみを示している。また、ケーブル１の他方の端部に設けられるコネクター部１６、つまり、制御装置３のコネクターに接続されるコネクター部１６は、図２に示すコネクター部１６と同様であるため、説明を割愛する。
【００３９】
コネクター部１６は、コネクターハウジング１６１と、コネクター圧着端子１６２とを有する。コネクターハウジング１６１は、ポリアミド樹脂から形成され、超音波センサー２の図示略のコネクターのハウジングと係合可能に構成されている。また、コネクターハウジング１６１は、コネクター圧着端子１６２を収容する。なお、コネクターハウジング１６１は、ポリアミド樹脂から形成されることに限られるものではなく、例えば、フェノール樹脂から形成されていてもよい。
【００４０】
コネクター圧着端子１６２は、無酸素銅管から形成され、送信端子１６２１と、第１共通グラウンド端子１６２２と、第２共通グラウンド端子１６２３と、フレームグラウンド端子１６２４と、受信端子１６２５とを有する。そして、超音波センサー２に設けられる図示略のコネクターには、これらの端子１６２１〜１６２５に対応する端子が設けられている。
【００４１】
送信端子１６２１には、送信信号線１１１の送信導体１１１１が接続される。これにより、送信信号線１１１は、送信端子１６２１を介して送信素子２２に電気的に接続される。
【００４２】
第１共通グラウンド端子１６２２には、二股に分岐されたグラウンド導体１３１１の一方が接続される。これにより、グラウンド線１３１は、第１共通グラウンド端子１６２２を介して送信素子２２に電気的に接続される。
第２共通グラウンド端子１６２３には、二股に分岐されたグラウンド導体１３１１の他方が接続される。これにより、グラウンド線１３１は、第２共通グラウンド端子１６２３を介して受信素子２３に電気的に接続される。
【００４３】
フレームグラウンド端子１６２４には、外周シールド線１４の外周シールドリード線１４２が接続される。これにより、外周シールド線１４は、フレームグラウンド端子１６２４を介してプローブフレームグラウンド２１３に電気的に接続されている。
受信端子１６２５には、受信信号線１２１の受信導体１２１１が接続される。これにより、受信信号線１２１は、受信端子１６２５を介して、受信素子２３に電気的に接続される。
なお、外周シールドリード線１４２で引き回される部分では、外周シールド線１４のシールド効果が低下することから、コネクター圧着端子１６２の周囲を金属で囲ったシールド付きコネクターをコネクター部１６として用いてもよい。
【００４４】
［グラウンド線１３１と各シールド線１１２、１２２、１３２との接続］
次に、グラウンド線１３１と、各シールド線１１２、１２２、１３２との接続について説明する。
図２に示すように、ケーブル１の一方の端部において、グラウンド線１３１のグラウンド導体１３１１と、送信シールド線１１２の送信シールドリード線１１２２とは、半田部５２によって接続されている。また、グラウンド導体１３１１と、受信シールド線１２２の受信シールドリード線１２２２とは、半田部５２によって接続されている。さらに、グラウンド導体１３１１と、グラウンドシールド線１３２のグラウンドシールドリード線１３２２とは、半田部５２によって接続されている。つまり、送信シールドリード線１１２２、受信シールドリード線１２２２、およびグラウンドシールドリード線１３２２と、グラウンド導体１３１１とは半田部５２により接続されている。これにより、送信シールド線１１２、受信シールド線１２２、およびグラウンドシールド線１３２は、グラウンド線１３１と電気的に接続される。
また、ケーブル１の他方の端部において、上記と同様に、送信シールド線１１２、受信シールド線１２２、およびグラウンドシールド線１３２は、グラウンド線１３１と電気的に接続される。
これにより、送信シールド線１１２、受信シールド線１２２、グラウンドシールド線１３２、およびグラウンド線１３１は、両端部において電気的に接続される。
【００４５】
［第１実施形態の作用効果］
このような第１実施形態によれば、以下の効果を得ることができる。
本実施形態では、超音波装置１００は、ケーブル１と、超音波センサー２と、制御装置３とを備える。
そして、ケーブル１の送信シールド線１１２、受信シールド線１２２、グラウンドシールド線１３２、およびグラウンド線１３１は、両端部において電気的に接続されている。
これにより、例えば、ケーブル１が折り曲げられた際に、素線１１２１、１２２１、１３２１が断線したとしても、各シールド線１１２、１２２、１３２は、グラウンド線１３１を介して電磁波等のノイズを逃がすことができる。そのため、素線１１２１、１２２１、１３２１が断線した場合でも、シールド効果を維持することができる。
【００４６】
本実施形態では、各シールド線１１２、１２２、１３２は、導体である銅箔糸から構成される複数の素線１１２１、１２２１、１３２１が編み組みされた編組シールドとして構成される。
これにより、編組シールドは柔軟性に優れるので、ケーブル１が折り曲げられた際に、素線１１２１、１２２１、１３２１を断線しにくくすることができる。そのため、各シールド線１１２、１２２、１３２において、シールド効果が低下してしまうことを抑制できる。
【００４７】
本実施形態では、ケーブル１は、送信素子２２および送信回路３２１の間で駆動信号を伝送する送信信号線１１１と、受信素子２３および受信回路３２２との間で受信信号を伝送する受信信号線１２１とを有する。
これにより、超音波装置１００において、駆動信号および受信信号に対する電磁波等のノイズの影響を抑制することができる。
【００４８】
［第２実施形態］
次に、本開示の第２実施形態について、図３に基づいて説明する。第２実施形態では、送信信号線１１１Ａと第１グラウンド線１３４Ａとがツイストペアケーブルとして構成される点で、前述した第１実施形態と異なる。また、第２実施形態では、受信信号線１２１Ａと第２グラウンド線１３５Ａとがツイストペアケーブルとして構成される点で、前述した第１実施形態と異なる。
なお、第２実施形態において、第１実施形態と同一または同様の構成には同一符号を付し、説明を省略または簡略する。
【００４９】
図３は、第２実施形態のケーブル１Ａの端部における要部を一部破断した断面図である。
図３に示すように、ケーブル１Ａは、送信信号芯線１１Ａと、受信信号芯線１２Ａとを備える。
【００５０】
［送信信号芯線１１Ａ］
送信信号芯線１１Ａは、送信信号線１１１Ａと、第１グラウンド線１３４Ａと、送信シールド線１１２Ａと、送信シールド被覆１１３とを備える。
送信信号芯線１１Ａは、前述した第１実施形態と同様に、送信回路３２１から出力された駆動信号を送信素子２２に伝送する。
送信信号線１１１Ａは、送信導体１１１１Ａと、送信導体被覆１１１２Ａとを備える。本実施形態では、送信導体１１１１Ａおよび送信導体被覆１１１２Ａは、前述した第１実施形態の送信導体１１１１および送信導体被覆１１１２と同様に構成される。
【００５１】
第１グラウンド線１３４Ａは、超音波センサー２の送信素子２２のグラウンド端子と、制御装置３の送信回路３２１のグラウンド端子とを電気的に接続する。これにより、送信素子２２のグラウンド端子は、送信回路３２１のグラウンド端子のグラウンド電位と共通になる。
第１グラウンド線１３４Ａは、第１グラウンド導体１３４１Ａと、第１グラウンド導体被覆１３４２Ａとを備える。本実施形態では、第１グラウンド導体１３４１Ａおよび第１グラウンド導体被覆１３４２Ａは、前述した第１実施形態のグラウンド導体１３１１およびグラウンド導体被覆１３１２と同様に構成される。
ここで、本実施形態では、送信信号線１１１Ａと第１グラウンド線１３４Ａとが撚り合わされてツイストペアケーブルとして構成される。
【００５２】
送信シールド線１１２Ａは、前述した第１実施形態と同様に、複数の素線１１２１Ａが編み組みされた編組シールドとして構成される。
本実施形態では、送信シールド線１１２Ａは、撚り合わされた送信信号線１１１Ａおよび第１グラウンド線１３４Ａを被覆している。
また、送信シールド線１１２Ａは、両端部において、複数の素線１１２１Ａが撚り合わされて形成された送信シールドリード線１１２２Ａを有する。そして、送信シールドリード線１１２２Ａは、第１グラウンド線１３４Ａに接続されている。これにより、送信シールド線１１２Ａと第１グラウンド線１３４Ａとは、両端部において電気的に接続される。
【００５３】
［受信信号芯線１２Ａ］
受信信号芯線１２Ａは、受信信号線１２１Ａと、第２グラウンド線１３５Ａと、受信シールド線１２２Ａと、受信シールド被覆１２３とを備える。
受信信号線１２１Ａは、前述した第１実施形態と同様に、受信素子２３から出力された受信信号を受信回路３２２に伝送する。
受信信号線１２１Ａは、受信導体１２１１Ａと、受信導体被覆１２１２Ａとを備える。本実施形態では、受信導体１２１１Ａおよび受信導体被覆１２１２Ａは、前述した第１実施形態の受信導体１２１１および受信導体被覆１２１２と同様に構成される。
【００５４】
第２グラウンド線１３５Ａは、超音波センサー２の受信素子２３のグラウンド端子と、制御装置３の受信回路３２２のグラウンド端子とを電気的に接続する。これにより、受信素子２３のグラウンド端子は、受信回路３２２のグラウンド端子のグラウンド電位と共通になる。
第２グラウンド線１３５Ａは、第２グラウンド導体１３５１Ａと、第２グラウンド導体被覆１３５２Ａとを備える。本実施形態では、第２グラウンド導体１３５１Ａおよび第２グラウンド導体被覆１３５２Ａは、前述した第１実施形態のグラウンド導体１３１１およびグラウンド導体被覆１３１２と同様に構成される。
ここで、本実施形態では、受信信号線１２１Ａと第２グラウンド線１３５Ａとは、撚り合わされてツイストペアケーブルとして構成される。
【００５５】
受信シールド線１２２Ａは、前述した第１実施形態と同様に、複数の素線１２２１Ａが編み組みされた編組シールドとして構成される。
本実施形態では、受信シールド線１２２Ａは、撚り合わされた受信信号線１２１Ａおよび第２グラウンド線１３５Ａを被覆している。
また、受信シールド線１２２Ａは、両端部において、複数の素線１２２１Ａが撚り合わされて形成された受信シールドリード線１２２２Ａを有する。そして、受信シールドリード線１２２２Ａは、第２グラウンド線１３５Ａに接続されている。これにより、受信シールド線１２２Ａと第２グラウンド線１３５Ａとは、両端部において電気的に接続される。
【００５６】
［第２実施形態の作用効果］
このような第２実施形態によれば、以下の効果を得ることができる。
本実施形態では、送信シールド線１１２Ａと第１グラウンド線１３４Ａとは電気的に接続されている。
これにより、素線１１２１Ａが断線したとしても、送信シールド線１１２Ａは、第１グラウンド線１３４Ａを介して電磁波等のノイズを逃がすことができる。そのため、素線１１２１Ａが断線した場合でも、シールド効果を維持することができる。
また、送信信号線１１１Ａと第１グラウンド線１３４Ａとは、撚り合わされてツイストペアケーブルとして構成される。
そのため、送信信号線１１１Ａを伝送される駆動信号に対する電磁波等のノイズの影響を低減することができる。
【００５７】
本実施形態では、受信シールド線１２２Ａと第２グラウンド線１３５Ａとは電気的に接続されている。
これにより、素線１２２１Ａが断線したとしても、受信シールド線１２２Ａは、第２グラウンド線１３５Ａを介して電磁波等のノイズを逃がすことができる。そのため、素線１２２１Ａが断線した場合でも、シールド効果を維持することができる。
また、受信信号線１２１Ａと第２グラウンド線１３５Ａとは、撚り合わされてツイストペアケーブルとして構成される。
そのため、受信信号線１２１Ａを伝送される受信信号に対する電磁波等のノイズの影響を低減することができる。
【００５８】
［第３実施形態］
次に、本開示の第３実施形態について、図４に基づいて説明する。第３実施形態では、送信シールド線１１２Ｂおよび受信シールド線１２２Ｂは、第１グラウンド線１３４Ｂおよび第２グラウンド線１３５Ｂに電気的に接続される点で、前述した第２実施形態と異なる。
なお、第３実施形態において、第１、第２実施形態と同一または同様の構成には同一符号を付し、説明を省略または簡略する。
【００５９】
図４は、第３実施形態のケーブル１Ｂの端部における要部を一部破断した断面図である。
図４に示すように、ケーブル１Ｂは、送信信号芯線１１Ｂと、受信信号芯線１２Ｂとを備える。
【００６０】
［送信信号芯線１１Ｂ］
送信信号芯線１１Ｂは、送信信号線１１１Ｂと、第１グラウンド線１３４Ｂと、送信シールド線１１２Ｂと、送信シールド被覆１１３とを備える。
送信信号線１１１Ｂは、送信導体１１１１Ｂと、送信導体被覆１１１２Ｂとを備える。
第１グラウンド線１３４Ｂは、第１グラウンド導体１３４１Ｂと、第１グラウンド導体被覆１３４２Ｂとを備える。
そして、本実施形態では、前述した第２実施形態と同様に、送信信号線１１１Ｂと第１グラウンド線１３４Ｂとは、撚り合わされてツイストペアケーブルとして構成される。
送信シールド線１１２Ｂは、前述した第１、第２実施形態と同様に、複数の素線１１２１Ｂが編み組みされた編組シールドとして構成される。
また、送信シールド線１１２Ｂは、両端部において、複数の素線１１２１Ｂが撚り合わされて形成された送信シールドリード線１１２２Ｂを有する。そして、前述した第２実施形態と同様に、送信シールドリード線１１２２Ｂは、第１グラウンド線１３４Ｂに接続されている。これにより、送信シールド線１１２Ｂと第１グラウンド線１３４Ｂとは、両端部において電気的に接続される。
【００６１】
［受信信号芯線１２Ｂ］
受信信号芯線１２Ｂは、受信信号線１２１Ｂと、第２グラウンド線１３５Ｂと、受信シールド線１２２Ｂと、受信シールド被覆１２３とを備える。
受信信号線１２１Ｂは、受信導体１２１１Ｂと、受信導体被覆１２１２Ｂとを備える。
第２グラウンド線１３５Ｂは、第２グラウンド導体１３５１Ｂと、第２グラウンド導体被覆１３５２Ｂとを備える。
そして、本実施形態では、前述した第２実施形態と同様に、受信信号線１２１Ｂと第２グラウンド線１３５Ｂとは、撚り合わされてツイストペアケーブルとして構成される。
受信シールド線１２２Ｂは、前述した第１、第２実施形態と同様に、複数の素線１２２１Ｂが編み組みされた編組シールドとして構成される。
また、受信シールド線１２２Ｂは、両端部において、複数の素線１２２１Ｂが撚り合わされて形成された受信シールドリード線１２２２Ｂを有する。そして、前述した第２実施形態と同様に、受信シールドリード線１２２２Ｂは、第２グラウンド線１３５Ｂに接続されている。これにより、受信シールド線１２２Ｂと第２グラウンド線１３５Ｂとは、両端部において電気的に接続される。
【００６２】
ここで、本実施形態では、送信シールド線１１２Ｂおよび受信シールド線１２２Ｂには、シールドリード線１７Ｂが接続されている。これにより、送信シールド線１１２Ｂおよび受信シールド線１２２Ｂは、シールドリード線１７Ｂを介して電気的に接続される。すなわち、送信シールド線１１２Ｂ、受信シールド線１２２Ｂ、第１グラウンド線１３４Ｂ、および第２グラウンド線１３５Ｂは、両端部において電気的に接続される。
【００６３】
［第３実施形態の作用効果］
このような第３実施形態によれば、以下の効果を得ることができる。
本実施形態では、送信シールド線１１２Ｂおよび受信シールド線１２２Ｂは、第１グラウンド線１３４Ｂおよび第２グラウンド線１３５Ｂに電気的に接続される。
これにより、素線１１２１Ｂ、１２２１Ｂが断線したとしても、送信シールド線１１２Ｂおよび受信シールド線１２２Ｂは、第１グラウンド線１３４Ｂおよび第２グラウンド線１３５Ｂを介して電磁波等のノイズを逃がすことができる。そのため、シールド効果をより確実に維持することができる。
【００６４】
［第４実施形態］
次に、本開示の第４実施形態について、図５に基づいて説明する。第５実施形態では、送信シールド線１１２Ｃ、受信シールド線１２２Ｃ、グラウンドシールド線１３２Ｃおよび外周シールド線１４Ｃは、素線１１２１Ｃ、１２２１Ｃ、１３２１Ｃ、１４１Ｃが螺旋状に巻装された横巻きシールドとして構成される点で、前述した第１〜第３実施形態と異なる。
なお、第４実施形態において、第１〜第３実施形態と同一または同様の構成には同一符号を付し、説明を省略または簡略する。
【００６５】
図４は、第４実施形態のケーブル１Ｃの端部における要部を一部破断した断面図である。
図４に示すように、ケーブル１Ｃは、送信信号芯線１１Ｃと、受信信号芯線１２Ｃと、グラウンド芯線１３Ｃとを備える。
【００６６】
［送信信号芯線１１Ｃ］
送信信号芯線１１Ｃは、送信信号線１１１Ｃと、送信シールド線１１２Ｃと、送信シールド被覆１１３とを備える。
送信信号線１１１Ｃは、送信導体１１１１Ｃと、送信導体被覆１１１２Ｃとを備える。
ここで、本実施形態では、送信シールド線１１２Ｃは、素線１１２１Ｃが螺旋状に巻装された横巻きシールドとして構成される。また、送信シールド線１１２Ｃは、両端部において、素線１１２１Ｃが延設して構成された送信シールドリード線１１２２Ｃを有する。
【００６７】
［受信信号芯線１２Ｃ］
受信信号芯線１２Ｃは、受信信号線１２１Ｃと、受信シールド線１２２Ｃと、受信シールド被覆１２３とを備える。
受信信号線１２１Ｃは、受信導体１２１１Ｃと、受信導体被覆１２１２Ｃとを備える。
ここで、本実施形態では、受信シールド線１２２Ｃは、素線１２２１Ｃが螺旋状に巻装された横巻きシールドとして構成される。また、受信シールド線１２２Ｃは、両端部において、素線１２２１Ｃが延設して構成された受信シールドリード線１２２２Ｃを有する。
［グラウンド芯線１３Ｃ］
グラウンド芯線１３Ｃは、グラウンド線１３１Ｃと、グラウンドシールド線１３２Ｃと、グラウンドシールド被覆１３３とを備える。
グラウンド線１３１Ｃは、グラウンド導体１３１１Ｃと、グラウンド導体被覆１３１２Ｃとを備える。
ここで、本実施形態では、グラウンドシールド線１３２Ｃは、素線１３２１Ｃが螺旋状に巻装された横巻きシールドとして構成される。また、グラウンドシールド線１３２Ｃは、両端部において、素線１３２１Ｃが延設して構成されたグラウンドシールドリード線１３２２Ｃを有する。
【００６８】
［外周シールド線１４Ｃ］
外周シールド線１４Ｃは、送信信号芯線１１Ｃ、受信信号芯線１２Ｃ、およびグラウンド芯線１３Ｃを被覆している。
ここで、本実施形態では、外周シールド線１４Ｃは、素線１４１Ｃが螺旋状に巻装された横巻きシールドとして構成される。また、外周シールド線１４Ｃは、両端部において、素線１４１Ｃが延設して構成された外周シールドリード線１４２Ｃを有する。
本実施形態では、前述した第１〜３実施形態と同様に、外周シールドリード線１４２Ｃは、プローブ筐体２１のプローブフレームグラウンド２１３および制御装置筐体３１の制御装置フレームグラウンド３１２に電気的に接続されている。
【００６９】
［グラウンド線１３１Ｃと各シールド線１１２Ｃ、１２２Ｃ、１３２Ｃとの接続］
図５に示すように、前述した第１実施形態と同様に、ケーブル１Ｃの一方の端部において、送信シールドリード線１１２２Ｃ、受信シールドリード線１２２２Ｃ、およびグラウンドシールドリード線１３２２Ｃと、グラウンド導体１３１１Ｃとは接続されている。これにより、送信シールド線１１２Ｃ、受信シールド線１２２Ｃ、およびグラウンドシールド線１３２Ｃは、グラウンド線１３１Ｃと電気的に接続される。
また、ケーブル１Ｃの他方の端部において、上記と同様に、送信シールド線１１２Ｃ、受信シールド線１２２Ｃ、およびグラウンドシールド線１３２Ｃは、グラウンド線１３１Ｃと電気的に接続される。
これにより、送信シールド線１１２Ｃ、受信シールド線１２２Ｃ、グラウンドシールド線１３２Ｃ、およびグラウンド線１３１Ｃは、両端部において電気的に接続される。
【００７０】
［第４実施形態の作用効果］
このような第４実施形態によれば、以下の効果を得ることができる。
本実施形態では、送信シールド線１１２Ｃ、受信シールド線１２２Ｃ、グラウンドシールド線１３２Ｃ、およびグラウンド線１３１Ｃは、両端部において電気的に接続される。
そのため、前述した第１実施形態と同様に、素線１１２１Ｃ、１２２１Ｃ、１３２１Ｃが断線した場合でも、シールド効果を維持することができる。さらに、送信シールド線１１２Ｃ、受信シールド線１２２Ｃ、グラウンドシールド線１３２Ｃおよび外周シールド線１４Ｃは、素線１１２１Ｃ、１２２１Ｃ、１３２１Ｃ、１４１Ｃが螺旋状に巻装された横巻きシールドとして構成されるので、編組シールドとして構成される場合よりも、さらに柔軟性に優れる。そのため、ケーブル１Ｃが折り曲げられた際に、素線１１２１Ｃ、１２２１Ｃ、１３２１Ｃ、１４１Ｃを断線しにくくすることができ、シールド効果が低下してしまうことを抑制できる。
【００７１】
［変形例］
なお、本開示は前述の各実施形態に限定されるものではなく、本開示の目的を達成できる範囲での変形、改良等は本開示に含まれるものである。
【００７２】
前記各実施形態では、コネクター部１６には、第１共通グラウンド端子１６２２および第２共通グラウンド端子１６２３が設けられていたが、これに限定されない。
図６は変形例の超音波装置１００Ｄの要部を示すブロック図である。図６に示すように、ケーブル１Ｄの両端部に設けられるコネクター部１６Ｄには、グラウンド芯線１３Ｄのグラウンド線に接続される共通グラウンド端子１６２２Ｄが１つだけ設けられていてもよい。この場合、グラウンド線は、当該共通グラウンド端子１６２２Ｄを介して、送信素子２２および受信素子２３と電気的に接続される。
【００７３】
前記第１、第４実施形態では、送信シールド線１１２、１１２Ｃ、受信シールド線１２２、１２２Ｃ、グラウンドシールド線１３２、１３２Ｃ、およびグラウンド線１３１、１３１Ｃは、両端部において電気的に接続されていたが、これに限定されない。例えば、送信シールド線１１２、１１２Ｃ、受信シールド線１２２、１２２Ｃ、グラウンドシールド線１３２、１３２Ｃ、およびグラウンド線１３１、１３１Ｃは、コネクター部１６において電気的に接続されていてもよい。この場合、送信シールド線１１２、１１２Ｃ、受信シールド線１２２、１２２Ｃ、グラウンドシールド線１３２、１３２Ｃ、およびグラウンド線１３１、１３１Ｃは、共通の接続端子に接続されることで、電気的に接続されていてもよい。
【００７４】
前記第２実施形態では、送信シールド線１１２Ａと第１グラウンド線１３４Ａとは、両端部において電気的に接続されていたが、これに限定されない。例えば、送信シールド線１１２Ａと第１グラウンド線１３４Ａとは、コネクター部１６において電気的に接続されていてもよい。この場合、送信シールド線１１２Ａと第１グラウンド線１３４Ａとは、共通の接続端子に接続されることで、電気的に接続されていてもよい。
同様に、受信シールド線１２２Ａと第２グラウンド線１３５Ａとは、両端部において電気的に接続されていたが、これに限定されない。例えば、受信シールド線１２２Ａと第２グラウンド線１３５Ａとは、コネクター部１６において電気的に接続されていてもよい。この場合、受信シールド線１２２Ａと第２グラウンド線１３５Ａとは、共通の接続端子に接続されることで、電気的に接続されていてもよい。
【００７５】
前記第３実施形態では、送信シールド線１１２Ｂ、受信シールド線１２２Ｂ、第１グラウンド線１３４Ｂ、および第２グラウンド線１３５Ｂは、両端部において電気的に接続されていたが、これに限定されない。例えば、送信シールド線１１２Ｂ、受信シールド線１２２Ｂ、第１グラウンド線１３４Ｂ、および第２グラウンド線１３５Ｂは、コネクター部１６において電気的に接続されていてもよい。この場合、送信シールド線１１２Ｂ、受信シールド線１２２Ｂ、第１グラウンド線１３４Ｂ、および第２グラウンド線１３５Ｂは、共通の接続端子に接続されることで、電気的に接続されていてもよい。
【００７６】
前記第１実施形態では、送信シールド線１１２、受信シールド線１２２、グラウンドシールド線１３２および外周シールド線１４は、編組シールドとして構成されていたが、これに限定されない。例えば、送信シールド線１１２、受信シールド線１２２およびグラウンドシールド線１３２は横巻きシールドとして構成され、外周シールド線１４は編組シールドとして構成されていてもよく、各シールド線１１２、１２２、１３２、１４のそれぞれは、編組シールドおよび横巻きシールドのいずれかとして構成されていればよい。
【００７７】
前記第２実施形態では、送信シールド線１１２Ａ、受信シールド線１２２Ａおよび外周シールド線１４は、編組シールドとして構成されていたが、これに限定されない。例えば、送信シールド線１１２Ａおよび受信シールド線１２２Ａは横巻きシールドとして構成され、外周シールド線１４は編組シールドとして構成されていてもよく、各シールド線１１２Ａ、１２２Ａ、１４のそれぞれは、編組シールドおよび横巻きシールドのいずれかとして構成されていればよい。
【００７８】
前記第３実施形態では、送信シールド線１１２Ｂ、受信シールド線１２２Ｂおよび外周シールド線１４は、編組シールドとして構成されていたが、これに限定されない。例えば、送信シールド線１１２Ｂおよび受信シールド線１２２Ｂは横巻きシールドとして構成され、外周シールド線１４は編組シールドとして構成されていてもよく、各シールド線１１２Ｂ、１２２Ｂ、１４のそれぞれは、編組シールドおよび横巻きシールドのいずれかとして構成されていればよい。
【００７９】
前記各実施形態では、制御装置３の回路基板３２に送信回路３２１および受信回路３２２が設けられていたが、これに限定されない。例えば、超音波センサー２に回路基板を設け、当該回路基板に送信回路および受信回路を設けてもよい。
【００８０】
前記各実施形態では、超音波センサー２に送信素子２２および受信素子２３が設けられていたが、これに限定されない。例えば、超音波センサー２に超音波の送受信可能な送信送受信素子を設け、当該送受信素子を超音波の送信時と受信時とで切り替えて作動可能に構成してもよい。
【００８１】
前記各実施形態では、超音波装置１００は距離測定装置として構成されていたが、これに限定されない。例えば、超音波装置１００は、超音波の送受信結果に応じて、構造体の内部断層像を測定する超音波測定装置等に適用することもできる。
【００８２】
前記各実施形態では、ケーブル１、１Ａ、１Ｂ、１Ｃ、１Ｄは、超音波センサー２と制御装置３とを電気的に接続させていたが、これに限定されず、各種機器を電気的に接続させるケーブルとして適用できる。
【００８３】
その他、本発明の実施の際の具体的な構造は、本発明の目的を達成できる範囲で上記実施形態および変形例を適宜組み合わせることで構成してもよく、また他の構造などに適宜変更してもよい。
【符号の説明】
【００８４】
１、１Ａ、１Ｂ、１Ｃ、１Ｄ…ケーブル、２…超音波センサー、３…制御装置、１１、１１Ａ、１１Ｂ…送信信号芯線、１２、１２Ａ、１２Ｂ…受信信号芯線、１３、１３Ｃ…グラウンド芯線、１４…外周シールド線、１５…外部被覆、１６、１６Ｃ…コネクター部、１７Ｂ…シールドリード線、２１…プローブ筐体、２２…送信素子、２３…受信素子、３１…制御装置筐体、３２…回路基板、１００、１００Ｃ…超音波装置、１１１、１１１Ａ、１１１Ｂ…送信信号線、１１２、１１２Ａ、１１２Ｂ…送信シールド線、１１３…送信シールド被覆、１２１、１２１Ａ、１２１Ｂ…受信信号線、１２２、１２２Ａ、１２２Ｂ…受信シールド線、１２３…受信シールド被覆、１３１…グラウンド線、１３２…グラウンドシールド線、１３３…グラウンドシールド被覆、１３４Ａ、１３４Ｂ…第１グラウンド線、１３５Ａ、１３５Ｂ…第２グラウンド線、１４１…素線、１４２…外周シールドリード線、１６１…コネクターハウジング、１６２…コネクター圧着端子、３２１…送信回路、３２２…受信回路、３２３…制御回路、１１１１、１１１１Ａ、１１１１Ｂ…送信導体、１１１２、１１１２Ａ、１１１２Ｂ…送信導体被覆、１１２１、１１２１Ａ、１１２１Ｂ…素線、１１２２、１１２２Ａ、１１２２Ｂ…送信シールドリード線、１２１１、１２１１Ａ、１２１１Ｂ…受信導体、１２１２、１２１２Ａ、１２１２Ｂ…受信導体被覆、１２２１、１２２１Ａ、１２２１Ｂ…素線、１２２２、１２２２Ａ、１２２２Ｂ…受信シールドリード線、１３１１…グラウンド導体、１３１２…グラウンド導体被覆、１３２１…素線、１３２２…グラウンドシールドリード線、１３４１Ａ、１３４１Ｂ…第１グラウンド導体、１３４２Ａ、１３４２Ｂ…第１グラウンド導体被覆、１３５１Ａ、１３５１Ｂ…第２グラウンド導体、１３５２Ａ、１３５２Ｂ…第２グラウンド導体被覆。
【図１】
2020149793.tif 000003
【図２】
2020149793.tif 000004
【図３】
2020149793.tif 000005
【図４】
2020149793.tif 000006
【図５】
2020149793.tif 000007
【図６】
2020149793.tif 000008